(57)【特許請求の範囲】
【請求項１】
第１の所定方向に沿って略管状に延伸する周壁と、
前記周壁の前記第１の所定方向における一端部に取付けられていると共に、前記第１の所定方向と直交する第２の所定方向における一方の側に対応する位置に第１の排水孔が開けられている、第１の端板と、
前記周壁の前記第１の所定方向における前記一端部の反対側にある他端部に取付けられていると共に、前記第２の所定方向における前記一方の側に対応する位置で、前記第１の排水孔と前記第１の所定方向に沿って向かい合う第２の排水孔が開けられている、第２の端板と、
を有するように構成され、前記周壁と、前記第１の端板と、前記第２の端板とにより、所定の収容空間を囲う、排水トラップ装置であって、
前記周壁において、前記第２の所定方向における前記一方の側に対応する壁から、前記第２の所定方向に沿って前記一方の側の反対側にある他方の側へ延伸し、その先端が前記他方の側と第１の所定の間隔を空ける上、前記所定の収容空間の一部を遮断する、第１の隔壁と、
前記第１の隔壁の前記他方の側に臨む先端から前記第２の端板に向って延伸し、その先端が前記第２の端板と第２の所定の間隔を空ける上、前記所定の収容空間の一部を遮断する、第２の隔壁と、
前記第２の隔壁の前記第２の所定方向における前記一方の側において前記第２の端板から前記第１の隔壁に向って、前記第２の隔壁の前記第２の所定の間隔よりも長く延伸し、その先端が前記第１の隔壁と第３の所定の間隔を空ける上、前記所定の収容空間の一部を遮断する、第３の隔壁と、
が形成されていることを特徴とする、排水トラップ装置。
【請求項２】
前記所定の収容空間内における前記第１の排水孔から前記第２の排水孔まで延伸する排水経路を横断し、且つ、前記第２の所定方向と略一致するように配置されると共に、第１の通水孔が開けられている、第１のプレートと、
前記第１の通水孔を上方から閉塞できるように、前記第１のプレートの上側に配置される、フロートと、
を有するように構成される閉塞手段を有することを特徴とする、請求項１に記載の排水トラップ装置。
【請求項３】
前記第１のプレートは、前記第２の隔壁と、前記第３の隔壁との間で前記第２の隔壁及び前記第３の隔壁と略直交するように配置され、
前記フロートは、前記第１の通水孔を上方から閉塞できるように、前記第１のプレートの上側に配置され、
前記閉塞手段は、更に、前記第３の隔壁の先端から、前記第１の端板側に傾くように斜めに延伸して前記周壁に連結すると共に、前記フロートが通過できないように形成された第２の通水孔を有するように形成された、第２のプレートを有するように構成されることを特徴とする、請求項２に記載の排水トラップ装置。
【請求項４】
前記第２の隔壁における少なくとも第１の隔壁の前記先端から前記第１のプレートまでの部分は、前記周壁の前記他方の側に傾きながら前記第２の端板に向って延伸するように形成されることを特徴とする、請求項３に記載の排水トラップ装置。
【請求項５】
前記第１の端板と前記第２の端板における少なくとも１つには、そこに形成される排水孔の周縁から外側に環状に突起する取付け部を有し、
また、前記取付け部の内周面に、前記内周面から縮径する第１の内側フランジが形成されることを特徴とする、請求項１〜４のいずれか一項に記載の排水トラップ装置。
【請求項６】
前記第１の内側フランジに当接するまで前記取付け部に挿し込まれることができる、管状のスリーブを更に有し、
前記スリーブには、
前記スリーブの前記取付け部に対する挿入可能範囲を制限できるように、前記取付け部外に露出する端部から外側へ張り出す、外側フランジと、
前記スリーブ内に挿し込まれる排水パイプの挿入可能範囲を制限できるように、前記第１の内側フランジに当接する端部の内周面に、該内周面から更に縮径する、第２の内側フランジと、
が形成されていることを特徴とする、請求項５に記載の排水トラップ装置。
【発明の詳細な説明】
【技術分野】
【０００１】
本発明は排水トラップ装置に関し、特に下水道の悪臭や硫化水素などのガスを遮断し、屋内へ流入することを防ぐことができる、排水トラップ装置に関する。
【背景技術】
【０００２】
一般の建物には、汚水を排出するために、下水道まで連通する排水管路が設置されている。排水管路が建物の内部と下水道とを連通しているので、建物の内部の汚水を、排水管路を経由して下水道に排出できるが、下水道の悪臭や、硫化水素などのガスや、ゴキブリなどの害虫も、排水管路を経由して、建物の内部に進入する恐れがある。
【０００３】
これを防ぐために、排水トラップ装置がよく利用される。例えば特許文献１に記載された排水トラップ装置が、排水管路に設置される。
【０００４】
しかし、特許文献１に記載された排水トラップ装置は、ばねを用いる機械式の機構で排水管路を開閉するもので、その機械式の機構は、廃水により腐食したり、ゴミの侵入により故障したりするといった損壊が生じやすいので、該排水トラップ装置を頻繁に交換しなければならないという欠点を有する。
【０００５】
また、機械式の構造を利用せずに、排水管をＳ字状等に湾曲させて水封効果を得る排水トラップも用いられているが、排水管の外郭形状が複雑になる上に、幅を取るので、例えば壁の中に設置する埋め込み式の排水管としては用いることができず、応用性が低い。
【先行技術文献】
【特許文献】
【０００６】
【特許文献１】台湾実用新案公告第Ｍ２７１８９３号明細書
【発明の概要】
【発明が解決しようとする課題】
【０００７】
上記問題点に鑑みて、本発明は、機械式の機構を用いない排水トラップ装置の提供を目的とする。
【課題を解決するための手段】
【０００８】
上記目的を達成すべく、本発明は、第１の所定方向に沿って略管状に延伸する周壁と、周壁の第１の所定方向における一端部に取付けられていると共に、第１の所定方向と直交する第２の所定方向における一方の側に対応する位置に第１の排水孔が開けられている、第１の端板と、周壁の第１の所定方向における一端部の反対側にある他端部に取付けられていると共に、第２の所定方向における一方の側に対応する位置で第１の排水孔と第１の所定方向に沿って向かい合う第２の排水孔が開けられている、第２の端板と、を有するように構成され、周壁と、第１の端板と、第２の端板とにより、所定の収容空間を囲う、排水トラップ装置であって、周壁において、第２の所定方向における一方の側に対応する壁から、第２の所定方向に沿って該一方の側の反対側にある他方の側へ延伸し、その先端が他方の側と第１の所定の間隔を空ける上、所定の収容空間の一部を遮断する、第１の隔壁と、第１の隔壁の他方の側に臨む先端から第２の端板に向って延伸し、その先端が第２の端板と第２の所定の間隔を空ける上、所定の収容空間の一部を遮断する、第２の隔壁と、第２の隔壁の第２の所定方向における一方の側において第２の端板から第１の隔壁に向って延伸し、その先端が第１の隔壁と第３の所定の間隔を空ける上、所定の収容空間の一部を遮断する、第３の隔壁と、が形成されていることを特徴とする、排水トラップ装置を提供する。
【発明の効果】
【０００９】
上記の構成によれば、本発明の排水トラップ装置は、第１の隔壁、第２の隔壁及び第３の隔壁により、２つの上方に向く開口を具える貯水槽を有する排水トラップ構造を構成するので、汚水が貯水槽にて所定の水位を超えると、水封効果を発揮して、下水道の悪臭やガス、害虫などが、排水管路を経由して屋内に進入することを、防止できる。
【図面の簡単な説明】
【００１０】
【図１】本発明の排水トラップ装置の第１の実施形態を示す断面図である。
【図２】本発明の排水トラップ装置の第１の実施形態が使用される状態を示す断面図である。
【図３】図２におけるIII −III 線に沿った断面図である。
【図４】本発明の排水トラップ装置の第２の実施形態が使用される状態を示す断面図である。
【図５】本発明の排水トラップ装置の第３の実施形態が使用される状態を示す断面図である。
【図６】本発明の排水トラップ装置の第４の実施形態を示す断面図である。
【図７】図６におけるVII −VII 線に沿った断面図である。
【図８】本発明の排水トラップ装置の第４の実施形態が使用される状態を示す断面図である。
【図９】本発明の排水トラップ装置の第５の実施形態が使用される状態における、汚水が所定の水位に満たない状態を示す断面図である。
【図１０】本発明の排水トラップ装置の第５の実施形態が使用される状態を示す断面図である。
【図１１】本発明の排水トラップ装置が壁に設置される状態を示す断面図である。
【発明を実施するための形態】
【００１１】
以下は添付の図面を参照しながら、本発明の排水トラップ装置の各好ましい実施形態について説明する。
【００１２】
（第１の実施形態）
図1は、本発明の排水トラップ装置の第１の実施形態を示す断面図であり、図２は、本発明の排水トラップ装置の第１の実施形態が使用される状態を示す断面図であり、図３は、図２におけるIII −III 線に沿った断面図である。
【００１３】
本発明の排水トラップ装置１の第１の実施形態は、図１〜図３に示されるように、第１の所定方向Ｌ１（本実施形態では鉛直方向に準ずる方向）に沿って管状に延伸する周壁１１と、周壁１１の第１の所定方向Ｌ１における上端部（即ち、図１の上方側）に取付けられていると共に、第１の所定方向Ｌ１と直交する第２の所定方向Ｌ２（本実施形態では水平方向に準ずる方向）における右側に対応する位置（即ち、図１の右側）に第１の排水孔１２１が開けられている、第１の端板１２と、周壁１１の第１の所定方向Ｌ１における上端部の反対側にある下端部に取付けられていると共に、第２の所定方向Ｌ２における右側に対応する位置で第１の排水孔１２１と第１の所定方向Ｌ１に沿って向かい合う第２の排水孔１３１が開けられている、第２の端板１３と、により所定の収容空間１４を囲うように構成されている。
【００１４】
また、収容空間１４には、周壁１１において、第２の所定方向Ｌ２における右側に対応する壁から、第２の所定方向Ｌ２に沿って左側へ延伸し、その先端が周壁１１の左側と第１の所定の間隔を空ける上、収容空間１４の一部を遮断する、第１の隔壁２１と、第１の隔壁２１の左側に臨む先端から第２の端板１３に向って延伸し、その先端が第２の端板１３と第２の所定の間隔を空ける上、収容空間１４の一部を遮断する、第２の隔壁２２と、第２の隔壁２２の第２の所定方向Ｌ２における右側において第２の端板１３から第１の隔壁２１に向って延伸し、その先端が第１の隔壁２１と第３の所定の間隔を空ける上、収容空間１４の一部を遮断する、第３の隔壁２３と、が形成されている。
【００１５】
第１の端板１２及び第２の端板１３には、第１の排水孔１２１及び第２の排水孔１３１の周縁から環状に突起するように形成される、取付け部１５が、それぞれ設けられている。また、各取付け部１５の内周面に、取付け部１５の内周面から縮径する、第１の内側フランジ１６が、形成されている。更に、各取付け部１５には、第１の内側フランジ１６に当接するまで取付け部１５に挿し込まれることができる、管状のスリーブ３が、設置されている。
【００１６】
スリーブ３には、スリーブ３の取付け部１５に対する挿入可能範囲を制限できるように、取付け部１５外に露出する端部から外側へ張り出す、外側フランジ３１と、スリーブ３内に挿し込まれる排水パイプ１００の挿入可能範囲を制限できるように、第１の内側フランジ１６に当接する端部の内周面に、該内周面から更に縮径する、第２の内側フランジ３２（図１参照）と、が形成されている。
【００１７】
上記の構成によれば、汚水が第１の排水孔１２１からこの第１の実施形態の排水トラップ装置１に流れ込むと、図２に示されるように、周壁１１と第２の端板１３と第３の隔壁２３により構成されていると共に、第２の隔壁２２により上記第２の所定の間隔を残して仕切られている、貯水槽４に、その汚水が貯まる。そして、貯水槽４に貯まっている汚水の水面の高さが第２の隔壁２２の先端を越えると、即ち汚水が上記第２の所定の間隔を封じると、その貯まっている汚水が、水封機能を発揮し、下水道の悪臭やガス及び害虫が排水管路を経由して屋内に進入することを、防止できる。
【００１８】
なお、異なる排水パイプ１００の寸法に合わせるため、スリーブ３の寸法については特に制限がなく、取付け部１５のサイズ及び各寸法のスリーブ３に対応できるように、適切に構成することができる。また、排水パイプ１００の寸法が取付け部１５に合っている場合は、スリーブ３を省いて、排水パイプ１００を、直接、第１の内側フランジ１６に当接するまで取付け部１５に挿し込んで、取り付けることもできる。
【００１９】
(第２の実施形態)
図４は、本発明の排水トラップ装置の第２の実施形態が使用される状態を示す断面図である。
【００２０】
本発明の排水トラップ装置１の第２の実施形態は、図４に示されるように、本発明の排水トラップ装置１の第１の実施形態を、上下を逆にして設置することである。
【００２１】
この第２の実施形態によれば、汚水が第２の排水孔１３１から排水トラップ装置１に流れ込み、周壁１１と第１の隔壁２１と第２の隔壁２２とにより構成されていると共に第３の隔壁２３により上記第３の所定の間隔を残して仕切られている、貯水槽４に、その汚水が貯まる。そして、貯水槽４に貯まっている汚水の水面の高さが第３の隔壁２３の先端を越えると、即ち、汚水が上記第３の所定の間隔を封じると、その貯まっている汚水が、水封機能を発揮し、第１の実施形態と同様の効果が得られる。
【００２２】
（第３の実施形態）
図５は、本発明の排水トラップ装置の第３の実施形態が使用される状態を示す断面図である。
【００２３】
本発明の排水トラップ装置１の第３の実施形態は、図５に示されるように、本発明の排水トラップ装置１を、第１の所定方向Ｌ１が水平方向に準ずる方向となり、第２の所定方向Ｌ２が鉛直方向に準ずる方向となるように、且つ、第１の排水孔１２１及び第２の排水孔１３１を、第２の所定方向Ｌ２における上方側に位置するように、設置することである。
【００２４】
この第３の実施形態によれば、図５に示されるように、汚水が第１の排水孔１２１から排水トラップ装置１に流れ込むと、周壁１１と第１の端板１２と第２の端板１３とにより構成されていると共に、第１の隔壁２１により上記第１の所定の間隔を残して仕切られ、第２の隔壁２２により上記第２の所定の間隔を残して仕切られ、第３の隔壁２３により上記第３の所定の間隔を残して仕切られるように構成された、貯水槽４に、その汚水が貯まる。そして、貯水槽４に貯まっている汚水の水面の高さが第２の隔壁２２を越えると、即ち、汚水が上記第２の所定の間隔を封じると、その貯まっている汚水が、水封機能を発揮し、第１の実施形態と同様の効果が得られる。
【００２５】
（第４の実施形態）
図６は、本発明の排水トラップ装置の第４の実施形態を示す断面図である。
本発明の排水トラップ装置１の第４の実施形態は、図６に示されるように、本発明の排水トラップ装置１の第１の実施形態に、更に閉塞手段５を設けたものである。閉塞手段５は、収容空間１４内における第１の排水孔１２１から第２の排水孔１３１まで延伸する排水経路を横断し、且つ、第２の所定方向と略一致するように配置されると共に、第１の通水孔５３が開けられている、第１のプレート５１と、比重が水より低く、第１の通水孔５３を上方から閉塞できるように第１のプレート５１の上側に配置される、フロート５５と、により構成される。
【００２６】
具体的に言うと、第１のプレート５１は、第２の隔壁２２と第３の隔壁２３との間で、第２の隔壁２２及び第３の隔壁２３と略直交するように配置されており、フロート５５は、第１の通水孔５３を上方から閉塞できるように、第１のプレート５１の上側に配置される。また、閉塞手段５は、フロート５５を確実に第１の通水孔５３の上方に位置させるために、第３の隔壁２３の先端から、第１の端板１２側に傾くように斜めに延伸して、周壁１１に連結すると共に、フロート５５が通過できない第２の通水孔５４を有するように形成された、第２のプレート５２を、更に有する。また、第２の隔壁２２における第１の隔壁２１の先端から第１のプレート５１までの部分は、周壁１１の第２の所定方向Ｌ２における左側に傾きながら第２の端板１３に向って延伸するように、形成される。
【００２７】
この第４の実施形態の構成によれば、図６に示されるように、貯水槽４にて汚水の水面の高さが第２の隔壁２２の先端を越えていなくても、フロート５５が第１の通水孔５３を上方から閉塞しているので、下水道の悪臭やガス、及び害虫が、排水管路を経由して屋内に進入することを、防止できる。
【００２８】
図８は、本発明の排水トラップ装置の第４の実施形態が使用される状態を示す断面図である。更に、汚水が、第１の排水孔１２１からこの第４の実施形態の排水トラップ装置１に流れ込むと、図８に示されるように、周壁１１と第２の端板１３と第３の隔壁２３により構成されていると共に第２の隔壁２２により上記第２の所定の間隔を残して仕切られている、貯水槽４に、その汚水が貯まる。そして、貯水槽４に貯まっている汚水の水面の高さが第２の隔壁２２の先端を越えると、その貯まっている汚水が、水封機能を発揮できる。
【００２９】
そして、汚水の水面の高さが第１のプレート５１を越えると、フロート５５が汚水の水圧で浮き上がって、汚水が第１の通水孔５３及び第２の通水孔５４を通過して、第２の排水孔１３１から排出される。また、浮き上がったフロート５５は、第２のプレート５２の上方に移動しても、汚水の水面の高さが第１のプレート５１より低くなれば、第２のプレート５２の傾斜により、第１のプレート５１に戻されて、第１の通水孔５３を閉塞することができる。
【００３０】
なお、フロート５５が重過ぎて直ぐに浮き上がらない、または軽過ぎて第１の通水孔５３を確実に閉塞できない、ことを防止するべく、適度な重さを有するために、フロート５５の密度は、０．５ｇ／ｃｍ3が好ましい。また、第２の通水孔５４がフロート５５により閉塞されないように、フロート５５として球状体を用い、第２の通水孔５４を、図６におけるVII −VII 線に沿った断面図である図７に示されるように、幅がフロート５５の直径より狭い、長尺状のスリットとして、形成することが好ましい。
【００３１】
（第５の実施形態）
図９は、本発明の排水トラップ装置の第５の実施形態が使用される状態における、汚水が所定の水位に満たない状態を示す断面図である。
【００３２】
本発明の排水トラップ装置１の第５の実施形態は、図９に示されるように、本発明の排水トラップ装置１の第４の実施形態を、第１の所定方向Ｌ１が水平方向に準ずる方向となり、第２の所定方向Ｌ２が鉛直方向に準ずる方向となるように、且つ、第１の排水孔１２１及び第２の排水孔１３１を、第２の所定方向Ｌ２における上方側に位置するように、設置することである。
【００３３】
この第５の実施形態の構成によれば、図９に示されるように、第２の隔壁２２における第１の隔壁２１の先端から第１のプレート５１までの部分は、周壁１１の第２の所定方向Ｌ２における下側に傾きながら第２の端板１３に向って延伸するように形成されるので、その第２の隔壁２２における第１の隔壁２１の先端から第１のプレート５１までの部分の傾斜により、フロート５５が、第１の通水孔５３を閉塞できる。これにより、貯水槽４にて汚水の水面の高さが第２の隔壁２２の先端を越えていなくても、下水道の悪臭やガス及び害虫が排水管路を経由して屋内に進入することを、防止できる。
【００３４】
更に、汚水が第１の排水孔１２１からこの第５の実施形態の排水トラップ装置１に流れ込むと、図９に示されるように、汚水が、周壁１１と第１の端板１２と第２の端板１３とにより構成されていると共に第１の隔壁２１と第２の隔壁２２と第３の隔壁２３とにより部分的に仕切られた、貯水槽４に貯まる。そして、汚水の水面の高さが第２の隔壁２２を越えると、その貯まっている汚水が、水封機能を発揮できる。
【００３５】
図１０は、本発明の排水トラップ装置の第５の実施形態が使用される状態を示す断面図である。
【００３６】
また、汚水が第１の通水孔５３を越えると、図１０に示されるように、フロート５５の密度が汚水の密度より小さいので、フロート５５が浮き上がって、汚水が、第１の通水孔５３及び第２の通水孔５４を通過して、第２の排水孔１３１から排出される。また、浮き上がったフロート５５は、汚水の水面の高さが第２の隔壁２２より低くなれば、第２の隔壁２２の傾斜により、第１のプレート５１の左側から第１の通水孔５３を閉塞するように、戻ることができる。
【００３７】
なお、本発明の排水トラップ装置１は、機械式の機構を使用せず、従来の排水トラップ装置の問題点である廃水による腐食や、ゴミの侵入による故障などの恐れがない上に、湾曲した外郭形状を有しないので、本発明の排水トラップ装置が壁に設置される状態を示す断面図である図１１のように、壁の中に設置してもよい。
【産業上の利用可能性】
【００３８】
本発明の排水トラップ装置は、各建物内の排水配管に設置でき、特に、壁の中に設置される排水配管に設置することに好適である。
【符号の説明】
【００３９】
Ｌ１    第１の所定方向
Ｌ２    第２の所定方向
１    排水トラップ装置
１１    周壁
１２    第１の端板
１３    第２の端板
１２１    第１の排水孔
１３１    第２の排水孔
１４    収容空間
１５    取付け部
１６    第１の内側フランジ
２１    第１の隔壁
２２    第２の隔壁
２３    第３の隔壁
３    スリーブ
３１    外側フランジ
３２    第２の内側フランジ
４    貯水槽
５    閉塞手段
５１    第１のプレート
５２    第２のプレート
５３    第１の通水孔
５４    第２の通水孔
５５    フロート
１００    排水パイプ
【図１】
0005937654.tif 000002
【図２】
0005937654.tif 000003
【図３】
0005937654.tif 000004
【図４】
0005937654.tif 000005
【図５】
0005937654.tif 000006
【図６】
0005937654.tif 000007
【図７】
0005937654.tif 000008
【図８】
0005937654.tif 000009
【図９】
0005937654.tif 000010
【図１０】
0005937654.tif 000011
【図１１】
0005937654.tif 000012